(57)【要約】      （修正有）【課題】光軸方向に移動させる光学素子を保持して駆動する光学素子駆動手段をベース部材に取り付ける際の調整工程の簡素化と光学素子の位置精度の向上。【解決手段】光源、出射された光ビームを光ディスクに導く光学系とが設けられたベース部材２０と、光路内にベース部材２０に対してその光軸方向に移動可能に設けられた光学素子２６を光軸方向に駆動させる光学素子駆動手段３０とを備え、駆動手段３０は、光学素子を保持する保持部３１と、保持部３１を光軸方向に移動可能に支持する主軸３２及び副軸３３とを有し、ベース部材２０には、主軸３２を支持して主軸３２の位置が所定の位置となるように位置決めする第１の位置決め部４１と、副軸３３を支持して、第１の位置決め部４１により位置決めされた光学素子駆動手段３０の主軸３２を軸とした軸回り方向の姿勢が所定の姿勢となるように位置決めする第２の位置決め部４２とが設けられている。【選択図】図６
2009037672.tif 000002
【特許請求の範囲】
【請求項１】
少なくとも光源と、上記光源から出射された光ビームを光ディスクに導く光学系とが設けられたベース部材と、
上記光学系の光路内に上記ベース部材に対してその光軸方向に移動可能に設けられた光学素子を上記光軸方向に駆動させる光学素子駆動手段とを備え、
上記光学素子駆動手段は、上記光学素子を保持する保持部と、上記光軸方向に形成され、上記保持部を上記光軸方向に移動可能に支持する主軸及び副軸とを有し、
上記ベース部材には、上記主軸を支持して上記主軸の上記ベース部材に対する位置が所定の位置となるように位置決めする第１の位置決め部と、上記副軸を支持して、上記第１の位置決め部により上記主軸の位置を位置決めされた上記光学素子駆動手段の上記主軸を軸とした軸回り方向の姿勢が所定の姿勢となるように位置決めする第２の位置決め部とが設けられ、
上記第１の位置決め部及び上記第２の位置決め部は、上記主軸及び上記副軸を支持することにより、上記ベース部材に対する上記光学素子駆動手段の位置及び姿勢を所定の位置及び姿勢となるように規制する光ピックアップ装置。
【請求項２】
上記第１の位置決め部は、上記主軸を上記光軸方向に直交する方向から挿入できるような凹状に形成されるとともに、上記主軸を上記凹状の部分に挿入する方向に向けて互いの間隔が小さくなる一対の壁部を有した形状に形成され、上記主軸に対して上記一対の壁部を当接させることで上記主軸を支持する請求項１記載の光ピックアップ装置。
【請求項３】
上記第１の位置決め部は、上記主軸の上記光軸方向の一方側及び他方側に設けられており、上記主軸の上記光軸方向の一方側及び他方側を支持する請求項２記載の光ピックアップ装置。
【請求項４】
上記主軸は、その上記光軸方向に直交する断面が略円形となるように形成され、
上記一対の壁部は、上記主軸に当接する位置において、上記主軸の断面形状の接線方向に形成されている請求項２記載の光ピックアップ装置。
【請求項５】
上記第２の位置決め部は、上記副軸を光軸方向に直交する方向から挿入できるような凹状に形成されるとともに、上記副軸を上記凹状の部分に挿入する方向から上記副軸に当接させる当接部を有した形状に形成される請求項２記載の光ピックアップ装置。
【請求項６】
光ディスクを保持して回転駆動する駆動手段と、
上記駆動手段によって回転駆動される光ディスクに対し光ビームを照射することにより情報信号の記録及び／又は再生を行う光ピックアップ装置とを有する光ディスク装置において、
上記光ピックアップ装置は、少なくとも光源と、上記光源から出射された光ビームを光ディスクに導く光学系とが設けられたベース部材と、
上記光学系の光路内に上記ベース部材に対してその光軸方向に移動可能に設けられた光学素子を上記光軸方向に駆動させる光学素子駆動手段とを備え、
上記光学素子駆動手段は、上記光学素子を保持する保持部と、上記光軸方向に形成され、上記保持部を上記光軸方向に移動可能に支持する主軸及び副軸とを有し、
上記ベース部材には、上記主軸を支持して上記主軸の上記ベース部材に対する位置が所定の位置となるように位置決めする第１の位置決め部と、上記副軸を支持して、上記第１の位置決め部により上記主軸の位置を位置決めされた上記光学素子駆動手段の上記主軸を軸とした軸回り方向の姿勢が所定の姿勢となるように位置決めする第２の位置決め部とが設けられ、
上記第１の位置決め部及び上記第２の位置決め部は、上記主軸及び上記副軸を支持することにより、上記ベース部材に対する上記光学素子駆動手段の位置及び姿勢を所定の位置及び姿勢となるように規制する光ディスク装置。
【発明の詳細な説明】
【技術分野】
【０００１】
本発明は、光ディスクに対して情報信号の記録及び／又は再生を行う光ピックアップ装置であって、その光路内に設けられる光学素子を光軸方向に駆動させる光学素子駆動手段を備える光ピックアップ装置及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクが用いられ、この種の光ディスクに情報信号の記録を行い、あるいは光ディスクに記録された情報信号の再生を行うための光ディスク装置があり、この光ディスク装置には、光ディスクの半径方向へ移動され、この光ディスクに対して光ビームを照射する光ピックアップ装置が設けられている。
【０００３】
この光ピックアップ装置は、一般的にＯＰベースを有し、このＯＰベース上に、光源、対物レンズ、受光部、その他の光学素子等の光学系が設けられている。また、近年複数種類の光ディスクに対応した光ピックアップ装置があり、このような光ピックアップ装置は、光源から対物レンズまでの光路内に設けられたレンズを光軸方向に駆動させるためのレンズ駆動ユニット等が設けられるものがある。
【０００４】
そして、レンズ駆動ユニットをＯＰベースへ固定する際、従来、レンズ駆動ユニットのユニットベースやＯＰベースに基準面やボス・穴を設け、ビス止めや接着により固定するのが一般的であった。この際、通常、基準となる光学系の光軸に対し、レンズ駆動ユニットに駆動されるレンズの光軸の偏芯を０．１ｍｍ未満に抑えることが望ましいことから、レンズ単品公差、レンズ駆動ユニットの組立公差、ＯＰベースへの実装公差等を考慮すると、ユニット単品で０．０３ｍｍ前後の組立精度が要求されてしまうことになり、ユニットベース等の部品公差やレンズ駆動ユニット自体の組立精度を厳しく管理する必要があり、このことに起因して歩留まりが低下して、結果的にレンズ駆動ユニットの高コスト化の要因となっている。
【０００５】
また、レンズ駆動ユニットは、レンズを駆動する際の振動についても３μｍ未満程度の非常に精密且つスムーズな駆動が要求されている。従来のレンズ駆動ユニットでは、レンズ駆動部のガイド軸となる主軸・副軸がユニットベースに圧入、接着されることから、このユニットベースに一緒に搭載されているモータ等の駆動手段の振動がユニットベースに伝わり、レンズ駆動時の振動が増幅されてしまうことも問題であった。
【０００６】
また、この他ＯＰベースへの駆動ユニットの実装時に駆動ユニットをビス止めする方法もあるが、この方法では、ユニットとしても取り付け空間的にも大きくなり、装置全体が大きくなってしまったり、ビス止めによるフランジ割れ等の問題も懸念されている。
【０００７】
また、高精度の取り付け方法としてＯＰベースに対し、レンズ駆動ユニットを空間調整し、固定する方法も存在するが、調整工程の煩雑さや調整工数、空間接着による信頼性や専用設備が必要になるなど多くの問題があった。さらに、レンズ駆動ユニットのユニットベースが樹脂製であった場合には、温度特性により樹脂製ベースが歪み、それに従いそこに圧入される軸も傾き、レンズ位置精度を悪化させる要因であった。
【０００８】
このように、光ピックアップ装置内に設けられるレンズ等の光学素子を駆動させる駆動ユニットを設ける場合に、ユニットの単体の組立誤差や、このユニットをＯＰベースに取り付ける際の誤差が個々に発生し、これらが重畳的に加算されることにより全体の誤差が大きくなってしまう等の問題があった。
【０００９】
【特許文献１】特開２００６−４５７８号公報
【発明の開示】
【発明が解決しようとする課題】
【００１０】
本発明の目的は、光軸方向に移動させる光学素子を保持して駆動する光学素子駆動手段を他の光学部品が搭載されたベース部材に取り付ける際の調整工程を簡素化し、この光学素子駆動手段に保持される光学素子の位置精度を向上させることを可能とする光ピックアップ装置及びこれを用いた光ディスク装置を提供することにある。
【課題を解決するための手段】
【００１１】
この目的を達成するため、本発明に係る光ピックアップ装置は、少なくとも光源と、上記光源から出射された光ビームを光ディスクに導く光学系とが設けられたベース部材と、上記光学系の光路内に上記ベース部材に対してその光軸方向に移動可能に設けられた光学素子を上記光軸方向に駆動させる光学素子駆動手段とを備え、上記光学素子駆動手段は、上記光学素子を保持する保持部と、上記光軸方向に形成され、上記保持部を上記光軸方向に移動可能に支持する主軸及び副軸とを有し、上記ベース部材には、上記主軸を支持して上記主軸の上記ベース部材に対する位置が所定の位置となるように位置決めする第１の位置決め部と、上記副軸を支持して、上記第１の位置決め部により上記主軸の位置を位置決めされた上記光学素子駆動手段の上記主軸を軸とした軸回り方向の姿勢が所定の姿勢となるように位置決めする第２の位置決め部とが設けられ、上記第１の位置決め部及び上記第２の位置決め部は、上記主軸及び上記副軸を支持することにより、上記ベース部材に対する上記光学素子駆動手段の位置及び姿勢を所定の位置及び姿勢となるように規制する。
【００１２】
また、この目的を達成するため、本発明に係る光ディスク装置は、光ディスクを保持して回転駆動する駆動手段と、上記駆動手段によって回転駆動される光ディスクに対し光ビームを照射することにより情報信号の記録及び／又は再生を行う光ピックアップ装置とを有する光ディスク装置であり、この光ディスク装置に用いる光ピックアップ装置として、上述したようなものを用いたものである。
【発明の効果】
【００１３】
本発明は、光学素子を移動させるためのガイドとなる光学素子駆動手段の主軸及び副軸を直接、他の光学部品を取り付けたベース部材に設けられた第１及び第２の位置決め部に取り付けることにより、従来のような各部品や各組立箇所の誤差が重畳的に加算されて全体として大きな誤差が発生してしまうことを防止し、簡易な構成でこの光学素子駆動手段に設けられた光学素子の位置精度を向上させることを実現する。
【発明を実施するための最良の形態】
【００１４】
以下、本発明を適用した光ピックアップ装置を用いた光ディスク装置について、図面を参照して説明する。光ディスク装置１０１は、図１に示すように、光ディスク１０２に対して情報信号の記録及び／又は再生を行う記録再生装置である。
【００１５】
この光ディスク装置１０１で記録及び／又は再生を行う光ディスク１０２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１６】
光ディスク装置１０１は、図１に示すように、光ディスク１０２を回転駆動する駆動手段としてのスピンドルモータ１０３と、光ピックアップ装置１と、光ピックアップ装置１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１７】
信号変復調部及びＥＣＣブロック１０８は、信号処理部１２０から出力される信号の変調、復調及びＥＣＣ（エラー訂正符号）の付加を行う。光ピックアップ装置１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスクに記録された情報信号の再生が行われる。
【００１８】
また、光ピックアップ装置１は、光ディスク１０２の信号記録面から反射される反射光ビームに基づいて、後述するような各種の光ビームを検出し、各光ビームから得られる検出信号を信号処理部１２０に供給するように構成されている。
【００１９】
信号処理部１２０は、各光ビームを検出して得られる検出信号に基づいて各種のサーボ用信号、すなわち、フォーカスエラー信号、トラッキングエラー信号を生成し、さらに、光ディスクに記録された情報信号であるＲＦ信号を生成する。また、再生対象とされる記録媒体の種類に応じて、制御回路部１０９、信号変調及びＥＣＣブロック１０８等により、これらの信号に基づく復調及び誤り訂正処理等の所定の処理が行われる。
【００２０】
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００２１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００２２】
光ピックアップ装置１には、送りモータ１０５が接続されている。光ピックアップ装置１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ装置１の対物レンズをその光軸方向のフォーカス方向及び光軸方向と直交するトラッキング方向へ移動変位させる対物レンズ駆動機構の制御は、それぞれ制御回路部１０９により行われる。
【００２３】
すなわち、制御回路部１０９は、スピンドルモータ１０３の制御を行い、フォーカスエラー信号及びトラッキングエラー信号に基づいて対物レンズ駆動機構の制御を行う。
【００２４】
また、制御回路部１０９は、信号処理部１２０から入力されるフォーカスエラー信号、トラッキングエラー信号、ＲＦ信号などに基づいて、光ピックアップ装置１に設けられたトラッキングコイル及びフォーカスコイルに供給するための駆動信号（駆動電流）をそれぞれ生成するように構成されている。
【００２５】
また、レーザ制御部１２１は、光ピックアップ装置１におけるレーザ光源を制御するものである。
【００２６】
尚、ここでフォーカス方向Ｆとは、光ピックアップ装置１の対物レンズ２３，２４の光軸方向をいい、タンジェンシャル方向Ｔｚとはフォーカス方向Ｆと直交する方向であって光ディスク装置１０１の円周のタンジェンシャル方向と平行する方向をいい、トラッキング方向Ｔとはフォーカス方向Ｆ及びタンジェンシャルＴｚ方向と直交する方向をいう。
【００２７】
次に、本発明が適用された光ピックアップ装置１について詳細に説明する。
【００２８】
光ピックアップ装置１は、波長を異にする複数種類の光ビームを選択的に用いて情報信号の記録又は再生が行われる複数種類の光ディスク１０２に対して、情報信号の記録及び／又は再生を行う光ディスク装置に用いられるものであり、具体的には、波長７６０〜８００ｎｍ程度の第１の波長の光ビームを用いて情報信号の記録又は再生が行われる第１の光ディスクと、波長６５０〜６６０ｎｍ程度の第２の波長の光ビームを用いて情報信号の記録又は再生が行われる第２の光ディスクと、波長４００〜４１０ｎｍ程度の第３の波長の光ビームを用いて情報信号の記録又は再生が行われる第３の光ディスクとに対して情報信号の記録及び／又は再生を行うものとして説明する。
【００２９】
尚、以下では、光ピックアップ装置１を異なる３種類の光ディスクに対して、情報信号の記録及び／又は再生を行うものとして説明するが、これに限られるものではなく、異なる複数種類又は１種類の光ディスクに対して情報信号の記録及び／又は再生を行うものであってもよい。
【００３０】
本発明が適用された光ピックアップ装置１は、上述した異なる波長の複数種類の光ビームを出射する半導体レーザ等からなる第１及び第２の光源２１，２２と、光ディスク１０２の信号記録面から反射される反射光ビームを検出する光検出素子としてのフォトダイオードと、第１及び第２の光源２１，２２からの光ビームを光ディスク１０２に導くとともに、光ディスク１０２で反射した光ビームを光検出素子に導く光学系とを有している。
【００３１】
ここで、第１の光源２１は、第１の波長の光ビームを出射させる出射部と、第２の波長の光ビームを出射させる出射部とを有しており、第２の光源２２は、第３の波長の光ビームを出射させる出射部とを有している。
【００３２】
この光ピックアップ装置１は、図２及び図３に示すように、光ディスク装置１０１の筐体内で光ディスク１０２の半径方向Ｒに移動可能に設けられた各種構成部品の取り付け基台としてのピックアップベース（ＯＰベース）２０上に設けられている。
【００３３】
また、光ピックアップ装置１は、図２乃至図５に示すように光源から出射された光ビームを集光して光ディスクに照射する複数の対物レンズ２３，２４を支持するレンズホルダ１２と、レンズホルダ１２からタンジェンシャル方向Ｔｚに間隔をおいて配置され取り付け基台としてのピックアップベース２０に取り付けられた支持体１３と、支持体１３に対してレンズホルダ１２をフォーカス方向Ｆ及びトラッキング方向Ｔに移動可能に支持する複数の支持アーム１４とを備える。このレンズホルダ１２、支持体１３及び支持アーム１４は、後述の各コイル５１，５２及びマグネット５３とともに、後述のように対物レンズ２３，２４をフォーカス方向Ｆ及びトラッキング方向Ｔに駆動する対物レンズ駆動機構として機能する。また、この第１及び第２の対物レンズ２３，２４は、光ピックアップ装置１の光学系の一部を構成している。
【００３４】
尚、光ピックアップ装置１では、タンジェンシャル方向Ｔｚに並んで配置される複数の対物レンズ２３，２４を備えるように構成したが、対物レンズの数及び配置はこれに限られるものではなく、例えば複数の対物レンズをラジアル方向Ｒに配置するように構成してもよく、また、１つの対物レンズを備えるように構成してもよい。
【００３５】
第１及び第２の光源２１，２２から出射された光ビームを光ディスク１０２に導く光学系としては、少なくとも、第１及び第２の光源２１，２２から出射された光ビームの光路を合成するビームスプリッタ２５と、ビームスプリッタ２５により光路を合成された各光ビームの発散角を変換して略平行光とするコリメータレンズ２６と、第３の波長の光ビームを透過させるとともに第１及び第２の波長の光ビームを反射して第１の対物レンズ２３に入射させる第１の立ち上げミラー２７と、第１の立ち上げミラー２７を透過された第３の波長の光ビームを反射して第２の対物レンズ２４に入射させる第２の立ち上げミラー２８と、上述した第１及び第２の対物レンズ２３，２４とが設けられている。尚、図４中Ｌ１は、第１の光源２１から出射された光ビームの光路を示し、Ｌ２は、第２の光源２２から出射された光ビームの光路を示し、Ｌ３は、ビームスプリッタ２５により合成された後の第１及び第２の光源２１，２２から出射された光ビームの光路を示している。
【００３６】
また、光ピックアップ装置１には、このコリメータレンズ２６を光軸方向に移動させる光学素子駆動手段としてのアクチュエータ３０が設けられている。コリメータレンズ２６は、アクチュエータ３０により光軸方向に移動されることで、コリメータレンズ２６を通過した後の光ビームの発散角を変化させることができ、これにより収差を補正して低減することができる。すなわち、ここでアクチュエータ３０により移動されるコリメータレンズ２６の移動方向Ｙは、上述した図４中Ｌ３で示すビームスプリッタ２５により合成された光ビームの光路の方向である。
【００３７】
すなわち、アクチュエータ３０及びこれに移動されるコリメータレンズ２６は、この発散角の変化により、複数種類の光ディスクに対し、複数種類の波長の光ビームを用い、共通の対物レンズを使用することにより発生する例えば球面収差等を補正することができるとともに、この発散角の変化に伴うデフォーカス成分により、振動、衝撃、温度変化等による焦点位置のズレを補正することができる。
【００３８】
光学素子駆動手段としてのアクチュエータ３０は、図６及び図７に示すように、光学素子としてのコリメータレンズ２６の光軸方向に移動可能とされこのコリメータレンズ２６を保持する保持部３１と、コリメータレンズ２６の光軸方向に形成され、保持部３１を光軸方向に移動可能に支持するとともに、保持部３１を移動させる際のガイド手段となる主軸３２及び副軸３３と、保持部３１及びこれに保持されたコリメータレンズ２６を駆動させるための駆動モータ３４とを有する。尚、この主軸３２及び副軸３３は、その軸方向がコリメータレンズ２６の光軸方向と平行になるように互いに略平行に設けられている。
【００３９】
その一方で、このアクチュエータ３０を取り付けるベース部材としてのピックアップベース２０には、主軸３２を支持して主軸３２の位置決めをする第１の位置決め部４１と、副軸３３を支持して副軸３３の位置決めをする第２の位置決め部４２とが設けられている。第１の位置決め部４１は、主軸３２を支持することにより、この主軸３２のピックアップベース２０及びこれに取り付けられた光学部品に対する位置が所定の空間位置となるように位置決めし、第２の位置決め部４２は、副軸３３を支持して、この副軸３３のピックアップベース２０及びこれに取り付けられた光学部品に対する所定の方向の位置決めをすることで、第１の位置決め部４１により主軸３２の位置を位置決めされたアクチュエータ３０の主軸３２を軸とした軸回り方向の姿勢が所定の姿勢となるように位置決めする。
【００４０】
このように、第１の位置決め部４１及び第２の位置決め部４２は、それぞれ主軸３２及び副軸３３を支持することにより、ピックアップベース２０に対するアクチュエータ３０の位置及び姿勢を所定の空間位置及び姿勢となるように規制する。
【００４１】
具体的に、アクチュエータ３０の主軸３２は、図６及び図８に示すように、コリメータレンズ２６の光軸方向に直交する断面、すなわち、主軸３２の形成方向に直交する断面が略円形となるように形成されている。
【００４２】
そして、第１の位置決め部４１は、図６及び図８に示すように、主軸３２を光軸方向に直交する方向Ｘから挿入できるような断面Ｖ字状の凹状に形成され、すなわち垂直方向下方側に向けて互いの間隔が小さくなる一対の壁部４１ａ，４１ａを有した形状に形成されている。尚、ここで、垂直方向下方側とは、ピックアップベース２０の主面に直交する方向の一方側の方向、具体的にはアクチュエータ３０を光ピックアップ装置１に組み付ける際における方向であり、すなわち、図３に示すようにピックアップベース２０の光ディスク１０２と対向する面２０ａと反対側の面２０ｂである所謂裏面が垂直方向上側を向いた状態における方向である。また、換言すると、第１の位置決め部４１は、主軸３２を光軸方向に直交する方向Ｘから挿入できるような断面凹状の溝が形成されてなるとともに、主軸３２をこの凹状の溝部分に挿入する方向Ｘに向けて互いの間隔が小さくなるように形成されこの溝を形成するための一対の壁部４１ａ，４１ａを有した形状に形成されている。
【００４３】
第１の位置決め部４１は、主軸３２に対してこの一対の壁部４１ａ，４１ａを当接させることで、主軸３２のピックアップベース２０に対する位置が所定の空間位置となるように位置決めした状態で主軸３２を支持する。ここで、第１の位置決め部４１は、光軸方向に直交する断面がＶ字状に配置された一対の壁部４１ａ，４１ａにより断面が略円形の主軸３２を当接して位置決めすることにより、この断面方向の空間位置については特に精細な位置決めを行うことができる。
【００４４】
また、一対の壁部４１ａ，４１ａは、主軸３２に当接する位置において、主軸３２の断面形状の接線方向に形成されており、これにより、この一対の壁部を有する第１の位置決め部４１は、主軸３２をより確実に保持し主軸３２を精細に位置決めすることができる。
【００４５】
また、第１の位置決め部４１は、主軸３２の光軸方向の一方側及び他方側に設けられており、主軸３２の光軸方向の一方側及び他方側を支持する。
【００４６】
また、アクチュエータ３０の副軸３３は、図６及び図９に示すように、コリメータレンズ２６の光軸方向に直交する断面、すなわち、副軸３３の形成方向に直交する断面が略円形となるように形成されている。
【００４７】
そして、第２の位置決め部４２は、図６及び図９に示すように、主軸３２と同様に副軸３３を光軸方向に直交する方向Ｘから挿入できるような断面略矩形に切り抜かれたような凹状に形成され、また、略水平方向に形成され、副軸を垂直方向下方側から当接する当接部となる底部４２ａを有して形成されている。尚、ここで、水平方向とは、ピックアップベース２０の主面に略平行な平面方向であり、具体的にはアクチュエータ３０を光ピックアップ装置１に組み付ける際における水平面である。また、換言すると、第２の位置決め部４２は、副軸３３を光軸方向に直交する方向Ｘから挿入できるような断面凹状の溝が形成されてなるとともに、副軸３３をこの凹状の溝部分に挿入する方向Ｘに対して直交する面を有し、且つこの挿入する方向から副軸３３に当接する当接部となる底部４２ａを有した形状に形成されている。
【００４８】
第２の位置決め部４２は、この凹状の部分に副軸３３を挿入する方向から、すなわち主軸３２及び副軸３３の挿入方向に対して略直交する底部４２ａにより、断面が略円形の副軸３３を当接して位置決めすることにより、この副軸３３のピックアップベース２０に対する所定の方向である上述した組み付ける際の垂直方向の位置決めをすることで、第１の位置決め部４１により主軸３２の位置を位置決めされたアクチュエータ３０の主軸３２を軸とした軸回り方向の姿勢が所定の姿勢となるように精細な位置決めを行うことができる。
【００４９】
また、第２の位置決め部４２は、副軸３３の光軸方向の一方側に設けられており、副軸３３の一方側を支持する。
【００５０】
第２の位置決め部４２及び上述した第１の位置決め部４１は、第１の位置決め部４１によりアクチュエータ３０を２点支持するとともにこのＶ字状の一対の壁部４１ａ，４１ａによりアクチュエータ３０の主面と平行な平面内の位置を規制するとともに、第２の位置決め部４２によりアクチュエータ３０を１点支持することにより、合計で３点支持するような構成とされており、アクチュエータ３０の空間位置及び姿勢を簡単且つ確実に適正な状態に位置決めすることができ、これにより、このアクチュエータ３０の保持部３１に保持されたコリメータレンズ２６の光学系における位置を適正な位置に保持することができる。
【００５１】
換言すると、ピックアップベース２０に設けられた第１及び第２の位置決め部４１，４２は、第１の位置決め部４１が主軸３２を２点支持することで、ピックアップベース２０の主面２０ａ，２０ｂに対して直交方向である所謂高さ方向の位置調整をすることができ、第２の位置決め部４２が副軸３３を１点支持することで、主軸３２を軸とした軸回り方向である回転方向の位置調整をすることができることにより、アクチュエータ３０及びコリメータレンズ２６の位置を適正な位置に保持することができる。
【００５２】
そして、アクチュエータ３０をピックアップベース２０に取り付ける際には、図７に示すように、アクチュエータ３０の主軸３２及び副軸３３をピックアップベース２０の第１及び第２の位置決め部４１，４２の凹状に形成された溝部分に所謂投げ込み接着するだけ、すなわち、主軸３２を第１の位置決め部４１，４１の溝部分に挿入し、副軸３３を第２の位置決め部４２の溝部分に挿入することによりアクチュエータ３０をピックアップベース２０に載置するだけで位置決めが行われるとともに、この状態の第１及び第２の位置決め部４１，４２の凹状の部分に接着剤を流し込み接着するだけで、精細に位置決めした状態で一体化される。
【００５３】
一般的にコリメータレンズ２６等の光学素子を駆動する光学素子駆動手段には、光学素子を位置精度良くスムーズに動かすことが求められるが、上述したアクチュエータ３０は、コリメータレンズ２６の位置精度をコリメータレンズ２６を保持する保持部３１と、その保持部３１の移動基準軸となる主軸３２により最低限のレンズ空間位置を確保し、さらに駆動時の真直性を持たせることができる。これは、上述したように主軸３２がその光軸方向の両側に設けられた第１の位置決め部４１，４１のそれぞれに設けられた一対の壁部４１ａにより当接されて位置決めされているため、主軸３２の空間位置が精細であるからである。
【００５４】
また、アクチュエータ３０は、従来のユニット構造では、主軸がユニットベースに圧入されており、ユニットとしての取り付け基準が、ベースの側面やボス、穴などに設けられているため、軸とベースの位置公差やベースも２部品から構成されており、２部品間の組立公差など多くの公差が重畳的に加算されてしまう構造であったことに起因して誤差が大きくなってしまっていたのに対し、図６、図７及び上述のように、コリメータレンズ２６及びこれを保持する保持部３１を駆動する際の基準となる主軸３２及び副軸３３をアクチュエータ３０本体からこれらの軸方向に飛び出るように突出させ、ピックアップベース２０側には一対の壁部４１ａ，４１ａを有しＶ字状の溝である第１の位置決め部４１と、取り付け姿勢の基準となる当てつけ面としての底部４２ａを有する溝である第２の位置決め部４２とを設け、そこに所謂投げ込み接着することで不必要に多くの部品に精度を求めることなく容易に駆動される光学素子としてのコリメータレンズ２６のレンズ位置精度や走り真直精度を高めることを可能とする。
【００５５】
以上のように構成されたアクチュエータ３０及びピックアップベース２０は、アクチュエータ３０に設けられた主軸３２及び副軸３３が、ピックアップベース２０に設けられた断面Ｖ字状で一対の壁部４１ａ，４１ａを有する第１の位置決め部４１と、断面略矩形の凹状で当接するための底部４２ａを有する第２の位置決め部４２とにより支持されることにより、ピックアップベース２０に対するアクチュエータ３０の位置及び姿勢を所定の空間位置及び姿勢となるように規制され、このように、コリメータレンズ２６を保持する保持部３１を主軸３２を基準として取り付けることで従来のような各部品や各組立箇所の誤差が重畳的に加算されて全体として大きな誤差が発生してしまうことを防止し、アクチュエータ３０に保持されるコリメータレンズ２６の位置精度及び走り真直精度を高めた状態でアクチュエータ３０をピックアップベース２０に取り付けることができる。
【００５６】
ところで、上述した対物レンズ２３，２４が保持されたレンズホルダ１２には、光ディスクの略半径方向であるトラッキング方向Ｔに駆動力を発生させるトラッキングコイル５１と、光ディスクに近接及び離間する方向であるフォーカス方向Ｆに駆動力を発生させるフォーカスコイル５２とが取り付けられている。
【００５７】
取り付け基台としてのピックアップベース２０には、このトラッキングコイル５１及びフォーカスコイル５２に対向するように配置され、このトラッキングコイル５１及びフォーカスコイル５２に所定の磁界を与えるマグネット５３が設けられている。
【００５８】
そして、このトラッキングコイル５１及びフォーカスコイル５２に駆動用の電流が供給されると、各コイル５１，５２に供給された電流と、マグネット５３からの磁界との相互作用によって、レンズホルダ１２をトラッキング方向Ｔ及びフォーカス方向Ｆに駆動変位させる。
【００５９】
その結果、レンズホルダ１２に支持された第１及び第２の対物レンズ２３，２４が、フォーカス方向Ｆ及び／又はトラッキング方向Ｔに駆動変位され、第１及び第２の対物レンズ２３，２４を介して光ディスクに照射される光ビームが光ディスクの信号記録面に合焦するように制御されるフォーカス制御が行われ、光ビームが光ディスクに形成された記録トラックに追従するように制御されるトラッキング制御が行われる。
【００６０】
以上のように構成された光ピックアップ装置１は、装着された光ディスクの種類に応じて、第１及び第２の光源２１，２２に設けられた出射部から第１乃至第３の波長の光ビームのうち光ディスクの種類に対応した波長の光ビームを出射させ、第１及び第２の対物レンズ２３，２４のうち光ディスクの種類に対応した対物レンズを介して照射される光ビームが所定の記録トラックに合焦して追従するようにフォーカス制御及びトラッキング制御を行うことにより、光ディスクに対して情報信号の記録又は再生を行うことができる。そして、光ピックアップ装置１は、光ディスクの種類に応じて、上述したアクチュエータ３０を駆動させ、光路中に設けられたコリメータレンズ２６を移動させることにより、上述したような複数種類の光ディスクに対する光学系の光路を共通した複数波長互換を実現した光学系の短所として発生するおそれのある収差を低減させることができ、これにより良好な記録・再生特性を実現する。
【００６１】
本発明が適用された光ピックアップ装置は、少なくとも光源２１，２２と、光源２１，２２から出射された光ビームを光ディスク１０２に導く光学系とが設けられたベース部材としてのピックアップベース２０と、この光学系の光路内にピックアップベース２０に対してその光軸方向に移動可能に設けられた光学素子であるコリメータレンズ２６を光軸方向に駆動させる光学素子駆動手段としてのアクチュエータ３０とを備え、アクチュエータ３０は、コリメータレンズ２６を保持する保持部３１と、光軸方向に形成され、保持部３１を光軸方向に移動可能に支持する主軸３２及び副軸３３とを有し、ピックアップベース２０には、主軸３２を支持して主軸３２のピックアップベース２０に対する位置が所定の空間位置となるように位置決めする第１の位置決め部４１と、副軸３３を支持して、第１の位置決め部４１により主軸３２の位置を位置決めされたアクチュエータ３０の主軸３２を軸とした軸回り方向の姿勢が所定の姿勢となるように位置決めする第２の位置決め部４２とが設けられ、第１の位置決め部４１及び第２の位置決め部４２は、主軸３２及び副軸３３を支持することにより、ピックアップベース２０に対するアクチュエータ３０の位置及び姿勢を所定の空間位置及び姿勢となるように規制することにより、アクチュエータ３０をピックアップベース２０に対して位置決めした状態で所謂投げ込み接着により一体化することにより、調整誤差が重畳的に加算されて結果として誤差が大きくなる等の問題を防止でき、これにより、光学素子としてのコリメータレンズ２６の位置ズレの発生、及びこれによる収差の発生を抑えることができる。
【００６２】
すなわち、本発明が適用された光ピックアップ装置１は、上述のような構成を備えることにより、光学素子としてのコリメータレンズ２６を移動させるためのガイドとなるアクチュエータ３０の主軸３２及び副軸３３を直接、他の光学部品を取り付けたピックアップベース２０に設けられた第１及び第２の位置決め部４１，４２に取り付けることにより、従来のような各部品や各組立箇所の誤差が重畳的に加算されて全体として大きな誤差が発生してしまうことを防止し、簡易な構成でこのアクチュエータ３０に設けられたコリメータレンズ２６の位置精度を向上させることを実現する。
【００６３】
また、本発明が適用された光ピックアップ装置１は、上述のユニットとしてのアクチュエータ３０に保持されるコリメータレンズ２６等のレンズ位置精度を向上させるのみならず、ユニットとしてアクチュエータ３０のレンズ送り時の走り精度及び真直性を向上させることができ、また、ピックアップベース２０への取り付け精度が向上することからユニットとしてのアクチュエータ３０の部品精度を緩和できコストダウンを実現でき、さらに、従来のようなアクチュエータベースに取り付けられた駆動源であるモータの振動がベースを介して軸を振動させていた振動等の問題を回避できるため駆動特性を向上させることを実現し、また、従来のビス止めを行った際の問題であるビス止めによるフランジ割れ等の問題を回避でき、さらに、温度特性によるベース歪み等を考慮する必要がなく信頼性を向上させることを実現し、また、アクチュエータ３０自体のベースに精度を求めないことから、アクチュエータ３０のベースは安価なプレス品等を使用することによるコストダウンを実現できる。
【図面の簡単な説明】
【００６４】
【図１】本発明を適用した光ディスク装置の概略構成を示すブロック回路図である。
【図２】本発明を適用した光ピックアップ装置の光ディスクに対向する面側を示す斜視図である。
【図３】本発明を適用した光ピックアップ装置の図２とは反対側の面側を示す斜視図である。
【図４】本発明を適用した光ピックアップ装置を構成する各種光学部品、対物レンズを駆動するためのアクチュエータ及び光学素子を駆動するためのアクチュエータを示す斜視図である。
【図５】光ピックアップ装置を構成する光学素子を駆動するためのアクチュエータの主軸及び副軸の構成を説明するための斜視図である。
【図６】光ピックアップ装置を構成するアクチュエータ及びこれを取り付けるためのピックアップベースの分解斜視図である。
【図７】光ピックアップ装置を構成するアクチュエータをピックアップベースに取り付けた際の拡大斜視図である。
【図８】アクチュエータの主軸及びこれを取り付けるためのピックアップベースの第１の位置決め部を示す断面図である。
【図９】アクチュエータの副軸及びこれを取り付けるためのピックアップベースの第２の位置決め部を示す断面図である。
【符号の説明】
【００６５】
１  光ピックアップ装置、  ２０  ピックアップベース、  ２１  第１の光源、  ２２  第２の光源、  ２３  第１の対物レンズ、  ２４  第２の対物レンズ、  ２５  ビームスプリッタ、  ２６  コリメータレンズ、  ２７  第１の立ち上げミラー、  ２８  第２の立ち上げミラー、  ３０  アクチュエータ、  ３１  保持部、  ３２  主軸、  ３３  副軸、  ４１  第１の位置決め部、  ４２  第２の位置決め部、  １０１  光ディスク装置、  １０２  光ディスク、  １０３  スピンドルモータ
【図１】
2009037672.tif 000003
【図２】
2009037672.tif 000004
【図３】
2009037672.tif 000005
【図４】
2009037672.tif 000006
【図５】
2009037672.tif 000007
【図６】
2009037672.tif 000008
【図７】
2009037672.tif 000009
【図８】
2009037672.tif 000010
【図９】
2009037672.tif 000011